【手続補正書】
【提出日】平成18年7月4日(2006.7.4)
【手続補正１】
【補正対象書類名】特許請求の範囲
【補正対象項目名】全文
【補正方法】変更
【補正の内容】
【特許請求の範囲】
【請求項１】
メディアストリームを、そのメディアストリームを表わすデジタルコンテンツフォーマットへ符号化するステップと、
そのメディアストリームを表わすデジタルコンテンツフォーマット全体より少ない、そのデジタルコンテンツの一部分を暗号化するステップであって、暗号化されたデジタルコンテンツの一部分は、メディアストリームの提示に必要である、ステップと
を含み、そのデジタルコンテンツの暗号化されたバージョンは、フォーマットパラメータにおいて、そのデジタルコンテンツの暗号化されていないバージョンから実質的に変化していない、方法。
【請求項２】
メディアストリームを、そのメディアストリームを表わすデジタルコンテンツフォーマットへ符号化するステップであって、そのデジタルコンテンツフォーマットが、１組の情報ノードを有しており、これらの情報ノードが少なくとも部分的順序で配置されている、ステップと、
そのデジタルコンテンツの一部分を暗号化するステップであって、暗号化された部分は、そのメディアストリームを表わすデジタルコンテンツフォーマット全体より少なく、暗号化されたデジタルコンテンツの部分は、メディアストリームの提示に必要である、ステップと
を含み、そのデジタルコンテンツの暗号化されていない部分は、実質的に部分的順序の下方に閉じられており、それにより、そのデジタルコンテンツの暗号化されていない部分は、それを復号化することを要することなくデコード可能である、方法。
【請求項３】
前記符号化ステップが、少なくとも若干のビデオデータのＭＰＥＧ符号化を提供する、請求項１又は２に記載の方法。
【請求項４】
前記暗号化ステップが、ブロック換字暗号を用いて、少なくとも若干のオーディオデータあるいはビデオデータを暗号化するステップを含んでいる、請求項１から３のいずれか一項に記載の方法。
【請求項５】
前記暗号化ステップは、
ブロック換字暗号を用いて、少なくとも若干のオーディオあるいはビデオデータを暗号化するステップと、
そのブロック換字暗号を用いて、少なくとも若干のオーディオあるいはビデオデータを暗号化することを抑えるステップであって、ここで、暗号化されていないオーディオあるいはビデオデータの量が、ブロック換字暗号のためのブロックサイズより少ないステップと
を含む、請求項１から４のいずれか一項に記載の方法。
【請求項６】
前記暗号化ステップは、
デジタルフォーマット内の少なくとも第１組のデータおよび第２組のデータを識別するステップと、
第１組のデータおよび第２組のデータを別々に暗号化するステップと
を含み、
それにより、第１組のデータは第１組のユーザに利用可能に作成することができ、第２組のデータは第２組のユーザに利用可能に作成することができ、第１組のユーザは、第２組のユーザと区別可能である、請求項１から５のいずれか一項に記載の方法。
【請求項７】
前記暗号化ステップは、
（ａ）少なくとも若干のオーディオあるいはビデオデータを説明する情報、あるいは、（ｂ）少なくとも何らかのフォーマット情報のうちの少なくとも１つの暗号化を抑えるステップを含む、請求項１から６のいずれか一項に記載の方法。
【請求項８】
デジタルコンテンツのフォーマットが、少なくとも若干のオーディオあるいはビデオデータと、少なくとも何らかのフォーマット情報を含んでいる、請求項１から７のいずれか一項に記載の方法。
【請求項９】
そのメディアストリームを表わすデジタルコンテンツのフォーマットが、相対的に高レベルの各層が抽象化を表わし、それに対し、相対的に低レベルの各層がその実現を表わす１組の層を含んでおり、
第１組の相対的に高レベルの層は、そのメディアストリームに対するオーディオまたはビデオ情報を表わし、一方、第２組の相対的に低レベルの層は、情報がフォーマットされ、あるいは補足される技術を表わしており、
暗号化のステップは、オーディオおよびビデオ情報を表わすデジタルコンテンツの部分のみに適用される、請求項１から８のいずれか一項に記載の方法。
【請求項１０】
そのメディアストリームを表わすデジタルコンテンツのフォーマットが、相対的に高レベルの各層が抽象化を表わし、それに対し、相対的に低レベルの各層がその実行を表わす、１組の層を含んでおり、
第１組の相対的に高レベルの層は、そのメディアストリームに対するオーディオおよびビデオ情報を表わし、一方、第２組の相対的に低レベルの層は、情報が各パケットへ断片化され、索引をつけられ、複合化され、またはメタデータで補足される技術を表わしており、
暗号化のステップは、オーディオおよびビデオ情報を表すデジタルコンテンツの部分のみに適用される、請求項１から９のいずれか一項に記載の方法。
【請求項１１】
そのメディアストリームを表わすデジタルコンテンツのフォーマットが、相対的に高レベルの各層が抽象化を表わし、それに対し、相対的に低レベルの各層がその実行を表わす１組の層を含んでおり、
第１組の相対的に高レベルの層は、そのメディアストリームに対するオーディオおよびビデオ情報を表し、一方、第２組の相対的に低レベルの層は、情報が各パケットへ断片化され、索引をつけられ、複合化されまたはメタデータで補足される技術を表しており、
暗号化のステップは、オーディオおよびビデオ情報以外を表わすデジタルコンテンツの当該部分の少なくとも一部には適用されない、請求項１から１０のいずれか一項に記載の方法。
【請求項１２】
メディアストリームが、映画、アニメーション、音、静止メディア、写真、イラスト、データベース、情報のコレクションのうちの少なくとも１つを含んでいる、請求項１から１１のいずれか一項に記載の方法。
【請求項１３】
そのデジタルコンテンツの配布において、実質的に全く変化がないように、暗号化するデジタルコンテンツの部分を選択するステップを含んでいる、請求項１から１２のいずれか一項に記載の方法。
【請求項１４】
前記選択ステップが、そのデジタルコンテンツ内の１組のデジタルデータのパケット化において、実質的に全く変化がないのを確実にすることを含んでいる、請求項１３に記載の方法。
【請求項１５】
前記選択ステップが、メディアストリームのオーディオとビデオ部分との同期化において、実質的に変化がないのを確実にすることを含んでいる、請求項１３又は１４に記載の方法。
【請求項１６】
前記選択ステップが、そのデジタルコンテンツ内の少なくとも若干の識別可能なオーディオあるいはビデオデータの長さにおいて、実質的に変化がないのを確実にすることを含んでいる、請求項１３から１５のいずれか一項に記載の方法。
【請求項１７】
通信リンクへ結合可能な入力ポートであって、通信リンクは、デジタルコンテンツを担持することが可能であり、デジタルコンテンツは、少なくとも何らかの提示可能な情報および少なくとも何らかのフォーマット情報を含んでいる、入力ポートと、
フォーマット情報に対応する提示可能な情報を識別することができるデジタルコンテンツデコーダと、
キーに対応して提示可能な情報を復号化することができるデジタルコンテンツ復号化装置と
を含み、復号化装置は、デコーダより相対的に比較的高度なセキュリティで保護されている、装置。
【請求項１８】
通信リンクが、
デジタルコンテンツを担持することができるコンピュータネットワークと、
物理メディアに対応して情報を検索することができるリーダーであって、物理メディアは、デジタルコンテンツを担持することができる、リーダー、の少なくとも１つを含んでいる、請求項１７に記載の装置。
【請求項１９】
デコーダがＭＰＥＧデコーダを含んでいる、請求項１７又は１８に記載の装置。
【請求項２０】
デコーダが、第１の選択された組のハードウェアあるいはソフトウェアに含まれており、第１の選択された組は信頼され、
復号化装置およびキーが、第２の選択された組のハードウェアあるいはソフトウェアに含まれており、第２の選択された組は、第１の選択された組より相対的に信頼性が高い、請求項１７から１９のいずれか一項に記載の装置。
【請求項２１】
デコーダが提示情報にアクセスすることなく、デコーダが、１つ以上のメディアストリームについての、少なくとも何らかのメタデータを提示するフォーマット情報に応答する、請求項１７から２０のいずれか一項に記載の装置。
【請求項２２】
デコーダが提示情報にアクセスすることなく、デコーダが、
メディアストリームに対して既知である、既知の再生機能と、
デジタルコンテンツ内のナビゲーションと、
デジタルコンテンツ内のコンテンツ選択と、
提示の操作と
の機能のうち少なくとも１つを提供するフォーマット情報に応答する、請求項１７から２１のいずれか一項に記載の装置。
【請求項２３】
デジタルコンテンツが、映画、アニメーション、音、静止メディア、写真、イラスト、データベース、情報のコレクションのうちの少なくとも１つを含んでいるメディアストリームを表わす、請求項１７から２２のいずれか一項に記載の装置。
【請求項２４】
相対的に高度なセキュリティが、認証されたソフトウェアの制御の下で動作する、改ざん防止ハードウェアを含んでいる、請求項１７から２３のいずれか一項に記載の装置。
【請求項２５】
デジタルコンテンツが第１メディアストリームおよび第２メディアストリームを提示し、
デコーダがフォーマット情報に反応し、復号化装置が選択されたキーに反応し、
選択されたキーが、選択されたユーザに第１メディアストリームおよび第２メディアストリームへの異なるアクセスを提供する、請求項１７から２４のいずれか一項に記載の装置。
【請求項２６】
第１メディアストリームがオーディオ情報を含んでおり、第２メディアストリームがビデオ情報を含んでおり、
第１メディアストリームが第１言語での情報を含んでおり、第２メディアストリームが第２言語での情報を含んでおり、
第１メディアストリームが第１タイプの聴衆をターゲットにした提示情報を含んでおり、第２メディアストリームが第１タイプの聴衆をターゲットにした情報を含んでいる、
請求項２５に記載の装置。